(57)【要約】      （修正有）【課題】容器本体内の液と添加材容器内の添加材を別々に保管しておき、簡単な操作により添加材を液に混合して飲用できる飲料容器を提案する。【解決手段】キャップ状部材Ｃ内に嵌合された添加材容器Ｄを、キャップ状部材を螺動下降させることにより、その蓋板50をカッター13により切断して開口し、収納した添加材を容器本体内に落下して混合し、吸飲できる如く構成している。蓋板はカッターにより周縁部を円周状に切断できるため、添加材の落下を円滑且つ迅速確実に行える。【選択図】図２
2008114860.tif 000002
【特許請求の範囲】
【請求項１】
容器本体Ａと、容器本体口頸部３に装着筒10を嵌合して装着するとともに、容器本体上方へ螺筒12を起立した連絡筒部材Ｂと、螺筒12に対して螺動下降が可能に螺着するとともに、頂部に流出口61を備えたキャップ状部材Ｃと、キャップ状部材Ｃの下面に介在させたスペーサー30と、カップ状の添加材容器本体40の開口をシート状の蓋板50で閉塞するとともに、蓋板50を下向きにした状態でキャップ状部材Ｃ内に嵌合させた添加材容器Ｄとを備え、スペーサー30排除後のキャップ状部材Ｃの螺動下降に伴う添加材容器Ｄの回転下降時に、添加材容器Ｄの蓋板50を切断するカッター13を連絡筒部材Ｂに突設したことを特徴とする飲料容器。
【請求項２】
環状に配置された複数の係止板27をキャップ状部材Ｃの頂壁21よりそれぞれ垂設し、添加材容器本体40開口縁より外方へ突設したフランジ43を各係止板27の下面に当接して添加材容器本体40外周を各係止板27内面に嵌合させることにより添加材容器Ｄをキャップ状部材Ｃ内に嵌合させてなる請求項１記載の飲料容器。
【請求項３】
前記キャップ状部材Ｃの螺動下降幅を、少なくとも一部の連結部分が残存する如くカッター13により蓋板50の周縁部が円弧状に切断される如く構成してなる請求項１又は請求項２のいずれかに記載の飲料容器。
【請求項４】
前記流出口61を、キャップ状部材Ｃの頂部に上下動可能に嵌合させた可動ノズルＥの頂部に形成するとともに、可動ノズルＥの上昇時に開口し、下降時に閉塞される如く構成してなる請求項１乃至請求項３のいずれかに記載の飲料容器。
【請求項５】
前記添加材容器Ｄをキャップ状部材Ｃに廻り止め機構を介して回転不能に嵌合してなる請求項１乃至請求項４のいずれかに記載の飲料容器。
【発明の詳細な説明】
【技術分野】
【０００１】
本発明は飲料容器に関する。
【背景技術】
【０００２】
ペットボトル型飲料容器に於いて、粉末茶と飲料水を別々にしておき、飲料時に始めて粉末茶と飲料水とを混合して、美味しい風味のあるお茶を提供する如く構成した飲料用混合容器が提案されている（例えば、特許文献１参照）。
【０００３】
上記容器は、液体と粉末が互いに分離された状態の飲料容器であって、液体は容器本体に収納され、また、粉末は容器本体の瓶口に位置して瓶口を閉塞するようにして止着された密封容器に収納されており、さらに瓶口には同瓶口に対し、常時は突起が外部に位置するキャップを密封容器の外側を囲うようにして取脱自在に螺着している。
【０００４】
そして、キャップを容器本体の瓶口から外し、外したキャップは次に平常装着時とは逆の向きに被着される。つまり、突起側のネジ部を瓶口のネジ部に対して螺着する。この螺着の際突起の先端は密封容器の上面部の凹部に対応して同先端と上面との間に若干の隙間が形成されることになる。そして被着状態のキャップをねじ切り状態まで螺着すると、充分な長さからなる突起が密封容器の上面部側を押圧してこれを突き破り、さらに下面部をも破って密封容器内の粉末茶を容器本体内の飲料水中に落下させる。この状態で容器本体を持って振り、粉末茶と飲料水とを混合させる。
【特許文献１】特開２００３−８１３５７号公報
【発明の開示】
【発明が解決しようとする課題】
【０００５】
上記容器は、キャップの突起により始めて密封容器が破られて容器内の粉末茶が容器本体内の飲料水に落下し、混合されるため、お茶の成分を逃がさず、また風味や香りを損なわないいれ立ての美味しいお茶を飲むことができる。また、キャップの螺着に際しその突起により密封容器を破って破壊し、容器内の粉末茶を容器本体内に落下させることが出来るため、混合操作が容易であるという特有の効果を発揮する優れたものである。しかしながら、破断された密封容器内の粉末茶の容器本体内への落下、混合に於いて、その円滑性，迅速性に未だ不充分の部分がある。即ち、上記容器では突起が密封容器の上面部及び下面部を突き破り密封容器内の粉末茶を容器本体内の飲料水中に落下させる如く構成しているが、開封の際に突起が密封容器をきれいに貫通して粉末茶を落下させるための充分な隙間が形成されない場合が多々あり、突起自体が粉末茶の落下の邪魔をする虞がある。
【０００６】
本発明は上記した点に鑑みてなされたもので、添加材容器の蓋板に対して確実に大きな開口を穿設することができ、円滑かつ確実な添加材と液との混合が可能である飲料容器を提案する。また、開封後そのままの状態で吸飲することができて取り扱いも簡単な飲料容器を提案する。
【課題を解決するための手段】
【０００７】
本発明の飲料容器は、容器本体と、連絡筒部材と、キャップ状部材と、スペーサーと、添加材容器とを備えている。
【０００８】
容器本体は合成樹脂等により形成され、胴部より口頸部を起立したボトル形態のものが好ましく使用される。
【０００９】
連絡筒部材は合成樹脂等により形成され、キャップ状部材を螺動下降可能な位置に螺着させるためのもので、添加材容器の蓋板を切断するカッターを備えている。また、口頸部外周に装着筒を嵌合して容器本体に装着しており、容器本体上方へ螺筒を起立している。容器本体へ嵌合した装着筒の係止形態は特に限定されず、螺合形態であっても凸部と凹部との係合形態であっても良い。また、連絡筒部材と口頸部との間は液密性を図る必要がある。液密性の付与は従来のこの種の容器が採用している手段を種々採用でき、例えば、パッキンを口頚部上面と連絡筒部材との間に介在させても良く、或いは、口頸部上面或いは内面と連絡筒部材とを圧接シールする如く構成しても良い。
【００１０】
カッターは連絡筒部材と一体に形成したもので、下を向く蓋板周縁部を円周状に切断するためのものであるため、先端の刃部が蓋板の周縁部に上を向いて位置する如く設置すると良い。
【００１１】
キャップ状部材は合成樹脂等により形成され、螺筒に対して螺動下降が可能な位置に螺着されている。螺動下降前は添加材容器を開封する前の状態であり、螺動下降することにより添加材容器の蓋板を切断開口して、最終的に開封状態となる。従って、開封前には螺動下降が簡単に起こらない様にスペーサーを用いている。キャップ状部材と螺筒との間にも液密性を付与する必要があり、この場合はキャップ状部材が螺動下降することを考慮して、螺筒内面に摺動可能にシール筒を嵌合させることにより液密性を付与すると良い。
【００１２】
また、キャップ状部材の頂部には流出口を備えている。流出口の形態は種々採用でき、混合液を流出するための単なる開口形態であっても、注出筒の先端開口形態であっても良いが、そのままの状態で混合液を吸飲できるための吸飲ノズルに於ける先端開口形態のものが好ましく採用される。また、流出口を開閉可能に閉塞する手段を伴うことが好ましく、その場合も、ノズルキャップ、栓等種々の形態を採用できるが、吸飲ノズルを可動ノズルとして、その上昇位置で流出口が開口し、下降位置で閉塞する如く構成したものが使い勝手の良さからも好ましく採用できる。
【００１３】
スペーサーは合成樹脂等により形成されたもので、キャップ状部材の螺動下降を防止する如く設けたものであり、キャップ状部材と一体に形成しても別体に形成することも可能である。その形状としては開環状のもの或いは環状のものが使用でき、後者の場合には開環するための破断線等を設ける必要がある。
【００１４】
添加材容器は、添加材容器本体とシート状の蓋板とから構成されている。添加材容器本体は、上端を開口した有底筒状をなし、所謂カップ状をなし、上端開口縁より外方へフランジを突設した形態のものが好ましく採用される。また、キャップ状部材に嵌合させる際に、その装着のし易さを図るために、周壁上端部を拡径部に形成すると良い。添加材容器内に収納するものとしては、容器本体内の液と混合して飲用するものであれば良く、粉末，粒状，塊状等の固形のものであっても，液状のものであっても良い。
【００１５】
シート状の蓋板は、周縁部を添加材容器本体の周縁部に接着，融着等の適宜固着手段により固着して添加材容器本体上端開口を閉塞するもので、合成樹脂，紙，合成紙，金属薄膜層，或いはこれらの積層体を使用でき、合成樹脂製の切断刃により容易に切断できる程度の厚みを採用すると良い。合成樹脂製の切断刃により容易に切断できる程度の厚みとしては、材質等により選択すれば良い。
【００１６】
第１の手段として、以下の通り構成した。即ち、容器本体Ａと、容器本体口頸部３に装着筒10を嵌合して装着するとともに、容器本体上方へ螺筒12を起立した連絡筒部材Ｂと、螺筒12に対して螺動下降が可能に螺着するとともに、頂部に流出口61を備えたキャップ状部材Ｃと、キャップ状部材Ｃの下面に介在させたスペーサー30と、カップ状の添加材容器本体40の開口をシート状の蓋板50で閉塞するとともに、蓋板50を下向きにした状態でキャップ状部材Ｃ内に嵌合させた添加材容器Ｄとを備え、スペーサー30排除後のキャップ状部材Ｃの螺動下降に伴う添加材容器Ｄの回転下降時に、添加材容器Ｄの蓋板50を切断するカッター13を連絡筒部材Ｂに突設した。
【００１７】
第２の手段として、以下の通り構成した。即ち、前記第１の手段に於いて、環状に配置された複数の係止板27をキャップ状部材Ｃの頂壁21よりそれぞれ垂設し、添加材容器本体40開口縁より外方へ突設したフランジ43を各係止板27の下面に当接して添加材容器本体40外周を各係止板27内面に嵌合させることにより添加材容器Ｄをキャップ状部材Ｃ内に嵌合させた。
【００１８】
第３の手段として、以下の通り構成した。即ち、前記第１の手段又は第２の手段のいずれかの手段に於いて、前記キャップ状部材Ｃの螺動下降幅を、少なくとも一部の連結部分が残存する如くカッター13により蓋板50の周縁部が円弧状に切断される如く構成した。
【００１９】
第４の手段として、以下の通り構成した。即ち、前記第１の手段乃至第３の手段のいずれかの手段に於いて、前記流出口61を、キャップ状部材Ｃの頂部に上下動可能に嵌合させた可動ノズルＥの頂部に形成するとともに、可動ノズルＥの上昇時に開口し、下降時に閉塞される如く構成した。
【００２０】
第５の手段として、以下の通り構成した。即ち、前記第１の手段乃至第４の手段のいずれかの手段に於いて、前記添加材容器Ｄをキャップ状部材Ｃに廻り止め機構を介して回転不能に嵌合した。
【発明の効果】
【００２１】
本発明の飲料容器は、キャップ状部材Ｃ内に嵌合収納させた添加材容器を、キャップ状部材Ｃを螺動下降させるという簡単な操作で開封することができ、しかも添加材容器の蓋板50を大きく開口でき、収納物或いは収納液が円滑に且つ確実に容器本体Ａ内に落下して液との混合を迅速かつ確実に行える。
【００２２】
環状に配置された複数の係止板27をキャップ状部材Ｃの頂壁21よりそれぞれ垂設し、添加材容器本体40開口縁より外方へ突設したフランジ43を各係止板27の下面に当接して添加材容器本体40外周を各係止板27内面に嵌合させることにより添加材容器Ｄをキャップ状部材Ｃ内に嵌合させた場合には、添加剤容器Ｄの外径より各係止板27の内径を若干小さく形成しておいても、各係止板27は若干の弾性変形が可能であるため容易に添加材容器Ｄを嵌着させることができ、しかも嵌着した添加材容器Ｄはしっかりと固定される。
【００２３】
前記キャップ状部材Ｃの螺動下降幅を、少なくとも一部の連結部分が残存する如くカッター13により蓋板50の周縁部が円弧状に切断される如く構成した場合には、キャップ状部材Ｃの螺動下降によって蓋板50を円板状に切り離すことがなく、切り離された蓋板50が容器体内に落下して混合液の吸引の際の液の流動を阻害する虞がない。しかも予め螺動下降距離を定めておけばカッター13の蓋板50周縁部の切断距離を好ましい距離とすることができ、例えば、ごく一部の連結部分を残して蓋板50から切り離されず、しかも、大半の周縁部分が切断されるため、収納添加材を更に確実容易に容器体内に落下させることができる。
【００２４】
前記流出口61を、キャップ状部材Ｃの頂部に上下動可能に嵌合させた可動ノズルＥの頂部に形成するとともに、可動ノズルＥの上昇時に開口し、下降時に閉塞される如く構成した場合には、不使用時には流出口61を塞いでおくことができて衛生的であり、しかも使用時には可動ノズルＥを上昇させるという簡単な操作で吸飲することができるため使い勝手も極めて良好である。
【００２５】
前記添加材容器Ｄをキャップ状部材Ｃに廻り止め機構を介して回転不能に嵌合した場合には、キャップ状部材Ｃを螺動下降させてカッター13により蓋板50を切断する際に添加材容器Ｄが空回りして切断が思う様にいかない等の不都合を生じることがなく、確実に切断することができる。。
【発明を実施するための最良の形態】
【００２６】
以下、本発明の実施例の形態を図面を参照して説明する。
【００２７】
図１及び図２は本発明飲料容器の一例を示し、図中１は飲料容器を示す。飲料容器１は、容器本体Ａと、連絡筒部材Ｂと、キャップ状部材Ｃと、添加材容器Ｄと、可動ノズルＥとを備えている。
【００２８】
容器本体Ａは、筒状胴部２の上端に小径の口頸部３を起立したボトル形態のもので、合成樹脂により形成されている。容器本体Ａ内には粉末を溶解するための液体が収納されている。
【００２９】
連絡筒部材Ｂは合成樹脂製で、口頸部３外周に螺着させた装着筒10の上端縁より内方へフランジ11を延設するとともに、フランジ11の内周縁より螺筒12を立設している。また、螺筒12の内周下部より内方へカッター13を一体に突設している。カッター13は、水平板状の基板13a の先端に三角板状の刃部13b を立設して形成している。
【００３０】
キャップ状部材Ｃは、螺筒12の外周に螺動下降が可能に螺着した周壁20の上端縁より頂壁21を延設しており、また、頂壁21裏面周縁部より垂設したシール筒22を螺筒12の内周面に摺動可能に嵌合させてこの部分の液密性を保持する如く構成している。頂壁21の中央部を円柱状に隆起させて棒栓部23に形成しており、棒栓部23と所定幅をあけて円筒状の支持筒24を立設し、支持筒24の外周上端部に係止突条25を周設している。棒栓部23と支持筒24との間の頂壁21に周方向複数の透孔26を穿設している。更に、シール筒22の内方所定位置には、円形に配置された複数の係止板27を垂設している。また、特定の一対の係止板27には、添加材容器Ｄの廻り止め機構を構成する係止突条28を突設している。
【００３１】
また、周壁20の下面にスペーサー30を一体に連結している。スペーサー30は、一部分を縦断分離した開環状で、上面と周壁20下面との間を複数の易切断性の連結片31により一体に連結している。更に、開環部分の一縁部に摘み32を突設している。
【００３２】
添加材容器Ｄは、添加材容器本体40と、シート状の蓋板50とから構成している。添加材容器本体40は、底壁41の周縁部より周壁42を立設し、周壁42の上端縁より外方へフランジ43を延設した合成樹脂製であり、周壁42の上端部は段部を介して拡径した拡径部42a に形成している。周壁42の下部には係止板27に設けた係合突条28と係合して廻り止め機構を構成する係合凹条44を対向位置に一対凹設している。また、蓋板50は合成樹脂製で、周縁部をフランジ43上面に融着させて添加材容器本体40の上端開口を閉塞している。そして、内部にスポーツドリンクの素となる添加用の粉末ｘを収納した添加材容器Ｄを、そのフランジ43裏面を各係止板27の底面に当接させるとともに、周壁42の拡径部42a 外周を各係止板27の内面に当接係止させて倒立状態でキャップ状部材Ｃ内に装着させている。
【００３３】
可動ノズルＥは、頂板60に穿設した流出口61を棒栓部23の外周上端部に嵌合させて液密に閉塞し、頂板60裏面から垂設したシール筒62を支持筒24の内周に液密摺動可能に嵌合させ、更に、頂板60周縁部より垂設した周壁部63を支持筒24外周に上下動可能に嵌合するとともに、周壁部63内周下端部に係合突条64を周設している。そして、流出口61が閉塞された最下降位置から、係合突条64が係止突条25に当接係止されるまでの所定の幅での上下動が可能に装着している。
【００３４】
上記の如く構成した飲料容器１は、図２の状態から各連結片31を破断してスペーサー30を取り除いた後、キャップ状部材Ｃを連絡筒部材Ｂに対して螺動下降させる。それに伴ってカッター13が一部の連結部分を残して蓋板50の周縁部に略円周状である円弧状の切溝を形成して添加材容器Ｄを開放し、粉末ｘが容器本体Ａ内に落下し、容器本体Ａ内の液と混合することによりスポーツドリンクが生成される。そして、可動ノズルＥを上方に引き上げることにより容器本体Ａ内から各係止板27間を通り透孔26を介して流出口61よりスポーツドリンクを吸引することができる。
【図面の簡単な説明】
【００３５】
【図１】本発明飲料容器の分解斜視図である。（実施例１）
【図２】本発明飲料容器の縦断面図である。（実施例１）
【符号の説明】
【００３６】
１…飲料容器
Ａ…容器本体
２…胴部，３…口頚部
Ｂ…連絡筒部材
10…装着筒，11…フランジ，12…螺筒，13…カッター，13a …基板，13b …刃部
Ｃ…キャップ状部材
20…周壁，21…頂壁，22…シール筒，23…棒栓部，24…支持筒，25…係止突条，
26…透孔，27…係止板，28…係合突条，30…スペーサー，31…連結片，32…摘み
Ｄ…添加材容器
40…添加材容器本体，41…底壁，42…周壁，42a …拡径部，43…フランジ，
44…係合凹条，50…蓋板
ｘ…粉末
Ｅ…可動ノズル
60…頂板，61…流出口，62…シール筒，63…周壁部，64…係合突条
【図１】
2008114860.tif 000003
【図２】
2008114860.tif 000004